(57)【特許請求の範囲】
【請求項１】
移動局装置と無線通信を行う無線基地局装置において、
データと第１のチャネルに対する送信許可を前記移動局装置へ送信する送信部と、
前記データに対する送達結果を前記移動局装置から受信する受信部と、
前記移動局装置との間の無線回線品質又は前記受信部の処理量に基づいて、前記第１のチャネルに対する受信処理を行うか、又は前記第１のチャネル及び第２のチャネルに対する受信処理を行うかを決定する制御部とを備え、
前記受信部は、前記決定に従って前記受信処理を行い、前記第１のチャネル又は前記第２のチャネルを利用して送信された前記送達結果を受信し、
前記第１のチャネルはデータ送信用のチャネルであり、前記第２のチャネルは制御信号送信用のチャネルであることを特徴とする無線基地局装置。  
【請求項２】
前記制御部は、前記無線回線品質又は前記処理量が閾値以上のとき、前記第１のチャネルに対する受信処理を行うことを決定し、前記無線回線品質又は前記処理量が閾値より小さいとき、前記第１のチャネル及び前記第２のチャネルに対して並列に受信処理を行うことを決定することを特徴とする請求項１記載の無線基地局装置。
【請求項３】
前記制御部は、前記処理量が第１の閾値以上のときであって前記無線回線品質が第２の閾値より小さいとき、前記第１のチャネル及び前記第２のチャネルに対して並列に受信処理を行うことを決定し、前記処理量が前記第１の閾値以上のときであって前記無線回線品質が前記第２の閾値以上のとき、前記第１のチャネルに対する受信処理を行うことを決定することを特徴とする請求項１記載の無線基地局装置。
【請求項４】
前記受信部は、前記第１のチャネル及び前記第２のチャネルに対して並列に受信処理を行って、前記第１のチャネルを利用して送信された信号を受信できないとき、前記第２のチャネルに対する受信処理により前記送達結果を取得し、前記第１のチャネル及び前記第２のチャネルに対して並列に受信処理を行って前記第１のチャネルを利用して送信された信号を受信できたとき、前記第１のチャネルに対する受信処理により前記送達結果を取得することを特徴とする請求項１記載の無線基地局装置。
【請求項５】
前記制御部は、前記許可通知を前記移動局装置に送信しなかったとき、前記第２のチャネルに対する受信処理を行うことを決定することを特徴とする請求項１記載の無線基地局装置。
【請求項６】
前記送信部はパイロット信号を前記移動局装置に送信し、
前記受信部は、前記移動局装置が前記パイロット信号に基づいて測定した前記無線回線品質を前記移動局装置から受信することを特徴とする請求項１記載の無線基地局装置。
【請求項７】
前記第１のチャネルは前記無線基地局装置による許可により利用可能なチャネルであり、前記第２のチャネルは前記移動局装置に対して予め個別に割り当てられたチャネルであることを特徴とする請求項１記載の無線基地局装置。
【請求項８】
データと第１のチャネルに対する送信許可を移動局装置へ送信する送信部と、前記データに対する送達結果を前記移動局装置から受信する受信部と、制御部とを備え、前記移動局装置と無線通信を行う無線基地局装置における無線通信方法であって、
前記移動局装置と間の無線回線品質又は前記受信部の処理量に基づいて、前記第１のチャネルに対する受信処理を行うか、又は前記第１のチャネル及び第２のチャネルに対する受信処理を行うかを前記制御部により決定し、
前記決定に従って前記受信処理を行い、前記第１のチャネル又は前記第２のチャネルを利用して送信された前記送達結果を前記受信部により受信し、
前記第１のチャネルはデータ送信用のチャネルであり、前記第２のチャネルは制御信号送信用のチャネルであることを特徴とする無線通信方法。
【請求項９】
無線基地局装置と移動局装置との間で無線通信を行う無線通信システムにおいて、
前記無線基地局装置は、
データと第１のチャネルに対する送信許可を前記移動局装置へ送信する送信部と、
前記データに対する送達結果を前記移動局装置から受信する受信部と、
前記移動局装置との間の無線回線品質又は前記受信部の処理量に基づいて、前記第１のチャネルに対する受信処理を行うか、又は前記第１のチャネル及び第２のチャネルに対する受信処理を行うかを決定する制御部とを備え、
前記受信部は、前記決定に従って前記受信処理を行い、前記第１のチャネル又は前記第２のチャネルを利用して送信された前記送達結果を受信し、
前記移動局装置は、
前記許可通知を受信したとき前記第１のチャネルを利用して前記送達結果を送信し、前記許可通知を受信できなかったとき前記第２のチャネルを利用して前記送達結果を送信する送信部を備え、
前記第１のチャネルはデータ送信用のチャネルであり、前記第２のチャネルは制御信号送信用のチャネルであることを特徴とする無線通信システム。
【発明の詳細な説明】
【技術分野】
【０００１】
本発明は、無線基地局装置、無線基地局装置における無線通信方法、及び無線通信システムに関する。
【背景技術】
【０００２】
無線通信システムの標準化団体である３ＧＰＰ（3rd Generation Partnership Project）においてＬＴＥ（Long Term Evolution）が検討されている。ＬＴＥにおいて、上りリンクのユーザデータはＰＵＳＣＨ（Physical Uplink Shared Channel:上り物理共有チャネル）により送信され、品質情報等はＰＵＣＣＨ（Physical Uplink Control Channel:上り物理制御チャネル）により送信される。
【０００３】
また、下りリンクのユーザデータはＰＤＳＣＨ（Physical Downlink Shared Channel：下り物理共有チャネル）により送信される。
【０００４】
一方、無線通信システムにおいて従来から再送制御と呼ばれる技術もある。再送制御は、例えば、基地局装置がユーザデータを送信し、移動局装置はユーザデータを正しく受信できたか否かを示す送達結果（ＡＣＫ又はＮＡＣＫ）を送信（又はフィードバック）する。基地局装置は送達結果に基づいてユーザデータの再送等を行う。かかる再送制御において、移動局装置はＰＵＳＣＨもしくはＰＵＣＣＨを利用して送達結果を送信する。
【０００５】
ＰＵＳＣＨは無線通信を行う複数の移動局装置で各々共有されるため、特定の移動局装置が占有して使用することはできない。そのため、無線基地局装置は下りリンクのＰＤＣＣＨ（Physical Downlink Control Channel：下り物理制御チャネル）を利用してＰＵＳＣＨの送信許可を送信し、移動局装置はこの送信許可を受信することでＰＵＳＣＨを利用することができる。
【先行技術文献】
【非特許文献】
【０００６】
【非特許文献１】3GPP TS 36.211 V9.0.0 (2009-12)  5.3 Physical uplink shared channel，5.4 Physical uplink control channel，6.8 Physical downlink control channel
【非特許文献２】3GPP TS 36.212 V9.0.0 (2009-12)  5.2 Uplink transport channels and control information
【発明の概要】
【発明が解決しようとする課題】
【０００７】
しかし、無線基地局装置はＰＵＳＣＨの送信許可を送信したにも拘わらず、無線通信環境の変動により、移動局装置は当該送信許可を受信できない場合もある。このような場合、移動局装置は、ＰＵＳＣＨを利用してユーザデータ（ＰＤＳＣＨ）に対する送達結果を送信できない。また、無線基地局装置はＰＵＳＣＨにより送達結果を受信できず、移動局装置がユーザデータを正しく受信できていないと判断してユーザデータを再送する。このような場合において、移動局装置は初回に送信されたユーザデータを正しく受信できていた場合、ユーザデータの再送によって無線通信システムにおける伝送効率（スループット）は劣化することになる。
【０００８】
また、移動局装置はＰＵＳＣＨ又はＰＵＣＣＨを利用して送達結果を送信することになるが、そのためには、無線基地局装置は、全ての移動局装置に対してＰＵＣＣＨとＰＵＳＣＨとに対する処理を行うことになる。しかし、無線基地局装置に対してＰＵＳＣＨとＰＵＣＣＨの双方に対する処理を行わせるようにすると、一方に対する処理を行う場合と比較して、無線基地局装置の処理量が増大する。
【０００９】
そこで、本発明の一目的は、スループットの向上を図るようにした無線基地局装置、無線基地局装置における無線通信方法、及び無線通信システムを提供することである。
【００１０】
また、本発明の他の目的は、処理量の削減を図るようにした無線基地局装置、無線基地局装置における無線通信方法、及び無線通信システムを提供することである。
【課題を解決するための手段】
【００１１】
一態様によれば、移動局装置と無線通信を行う無線基地局装置において、データを前記移動局装置へ送信する送信部と、前記データに対する送達結果を前記移動局装置から受信する受信部と、第１のチャネルによる送信を許可する許可通知を前記送信部が前記移動局装置に送信したとき、前記移動局装置との間の無線回線品質又は前記受信部の処理量に基づいて、前記第１のチャネルに対する受信処理を行うか、又は前記第１のチャネル及び第２のチャネルに対して並列に受信処理を行うかを決定する制御部とを備え、前記受信部は、前記決定に従って前記受信処理を行うことで、前記第１のチャネル又は前記第２のチャネルを利用して送信された前記送達結果を受信する。
【発明の効果】
【００１２】
スループットの向上を図るようにした無線基地局装置、無線基地局装置における無線通信方法、及び無線通信システムを提供できる。処理量の削減を図るようにした無線基地局装置、無線基地局装置における無線通信方法、及び無線通信システムを提供できる。
【図面の簡単な説明】
【００１３】
【図１】図１は無線通信システムの構成例を示す図である。
【図２】図２は無線基地局装置の構成例を示す図である。
【図３】図３（Ａ）及び図３（Ｂ）は再送制御のタイミング例を示す図である。
【図４】図４は移動局装置の構成例を示す図である。
【図５】図５は無線フレームの構成例を示す図である。
【図６】図６（Ａ）及び図６（Ｂ）はシーケンス例を夫々示す図である。
【図７】図７は動作例を示すフローチャートである。
【図８】図８は動作例を示すフローチャートである。
【図９】図９は無線基地局装置の構成例を示す図である。
【図１０】図１０は無線基地局装置の構成例を示す図である。
【図１１】図１１は動作例を示すフローチャートである。
【図１２】図１２は無線基地局装置の構成例を示す図である。
【図１３】図１３は無線基地局装置の構成例を示す図である。
【図１４】図１４は動作例を示すフローチャートである。
【図１５】図１５は無線基地局装置の構成例を示す図である。
【図１６】図１６は無線基地局装置の構成例を示す図である。
【図１７】図１７は動作例を示すフローチャートである。
【図１８】図１８は無線基地局装置の構成例を示す図である。
【発明を実施するための形態】
【００１４】
本実施の形態について以下説明する。
【００１５】
＜第１の実施例＞
第１の実施例について説明する。図１は無線通信システム１の構成例を示す図である。無線通信システム１は無線基地局装置（以下、「基地局」）１０と移動局装置（以下、「移動局」）２０‐１〜２０‐３を備える。基地局１０は下りリンクを利用して移動局２０‐１〜２０‐３と無線通信を行い、移動局２０‐１〜２０‐３は上りリンクを利用して基地局１０と無線通信を行うことができる。
【００１６】
図２は基地局１０の構成例を示す図である。基地局１０は、送信部１００と、Ｄ／Ａ変換部１１０と、ＲＦ処理部１２０と、アンテナ１３０と、Ａ／Ｄ変換部１４０と、受信部１５０、及びスケジューラ１６０とを備える。
【００１７】
送信部１００は、誤り訂正符号部１０１と、データ変調部１０２と、データ・パイロット信号多重部１０３と、ＩＦＦＴ部１０４と、ＣＰ挿入部１０５とを備える。送信部１００は、下り方向においてマルチパスフェージングを効率的に抑制して高速通信を行う等の観点から、マルチキャリア伝送、例えば、ＯＦＤＭ（Orthogonal Frequency Division Multiplexing：直交周波数分割多重接続）方式によりデータ信号等を送信する。尚、送信部１００は、ＰＤＳＣＨを利用してデータ信号等を送信し、ＰＤＣＣＨを利用して制御信号等を送信できるように、データ信号等に対する処理を行う。
【００１８】
誤り訂正符号部１０１は、スケジューラ１６０からの制御情報に従って所定の符号化率により、送信データ信号に対して誤り訂正符号化を行う。
【００１９】
データ変調部１０２は、スケジューラ１６０からの制御情報に従って所定の変調方式により、誤り訂正符号化後のデータ信号を変調する。
【００２０】
データ・パイロット信号多重部１０３は、スケジューラ１６０からの制御情報（例えば、スケジューリング情報）に従い、パイロット信号と変調後のデータ信号等とを各リソースブロックへ割り当て、パイロット信号とデータ信号とを多重化する。データ・パイロット信号多重部１０３は、例えば、このリソースブロックへの割り当てにより、ＰＤＳＣＨの無線リソースにデータ信号等を割り当て、ＰＤＣＣＨの無線リソースへ制御情報（又は制御信号）等を割り当てる。
【００２１】
ＩＦＦＴ部１０４は、データ・パイロット信号多重部１０３の出力に対してＩＦＦＴ（Inverse Fast Fourier Transfer）処理を行い、周波数軸方向の多重信号を時間軸方向の多重信号に変換する。ＩＦＦＴ部１０４は、例えば一定数Ｎのサンプル単位でＩＦＦＴ処理を行い、離散的な時間信号に変換して出力する。
【００２２】
ＣＰ挿入部１０５は、ＩＦＦＴ部１０４の出力のうち、例えば、後部のＭ（Ｎ＞Ｍ）サンプルをコピーしサイクリックプレフィックス（Cyclic Prefix、以下「ＣＰ」）としてＮサンプルの先頭に挿入する。
【００２３】
Ｄ／Ａ変換部１１０は、ＣＰ挿入部１０５の出力（デジタルのベースバンド信号）をアナログ信号に変換する。
【００２４】
また、ＲＦ処理部１２０は、送信ＲＦ部１２１と受信ＲＦ部１２２とを備える。
【００２５】
送信ＲＦ部１２１は、Ｄ／Ａ変換部１１０から出力されたベースバンド信号を所定無線周波数帯域の無線信号に変換する。
【００２６】
アンテナ１３０は、送信ＲＦ部１２１から出力された無線信号を移動局２０に送信する。また、アンテナ１３０は移動局２０から送信された無線信号を受信し、受信ＲＦ部１２２に出力する。
【００２７】
受信ＲＦ部１２２は、無線信号をベースバンド信号に変換し、Ａ／Ｄ変換部１４０に出力する。
【００２８】
Ａ／Ｄ変換部１４０は、アナログ信号のベースバンド信号をデジタル信号に変換し、受信部１５０に出力する。
【００２９】
受信部１５０は、ＣＰ除去部１５１と、ＦＦＴ部１５２と、データ・パイロット信号分離部１５３と、パイロット信号復調部１５４と、データ復調部１５５と、ＩＤＦＴ部１５６と、誤り訂正復号部１５７とを備える。受信部１５０は、ＰＡＰＲ（Peak to Average Ratio）を低下させ移動局２０の消費電力を削減する等の観点から、シングルキャリア伝送、例えば、ＳＣ‐ＦＤＭＡ（Single Carrier-Frequency Division Multiple Access）方式により送信された信号を受信する。
【００３０】
ＣＰ除去部１５１は、デジタル信号に変換されたベースバンド信号に対して、ＣＰを除去する。
【００３１】
ＦＦＴ部１５２は、ＣＰ除去されたベースバンド信号に対してＦＦＴ（Fast Fourier Transfer）処理を行い、時間軸方向の信号を周波数軸方向の信号に変換する。
【００３２】
データ・パイロット信号分離部１５３は、ＦＦＴ部１５２の出力に対して、スケジューラ１６０からの制御情報（例えば、スケジューリング情報）に従い、データ信号とパイロット信号（又は既知信号）とを分離する。データ・パイロット信号分離部１５３は、例えば、制御情報に従って、ＰＵＳＣＨの無線リソースにより受信したデータ信号等と、ＰＵＣＣＨの無線リソースを利用して受信した各種制御情報（又は制御信号）等とを抽出し、これらをデータ復調部１５５に出力する。
【００３３】
パイロット信号復調部１５４は、スケジューラ１６０からの制御情報に従い、所定の復調方式によりパイロット信号を復調する。
【００３４】
データ復調部１５５は、パイロット信号復調部１５４の復調処理の結果に基づいて、データ信号を復調する。また、データ復調部１５５は、無線回線品質情報がＰＵＣＣＨを利用して送信された場合、復調後の無線回線品質情報をスケジューラ１６０に出力する。
【００３５】
ＩＤＦＴ部１５６は、復調されたデータ信号に対して、ＩＤＦＴ（Inverse Discrete Fourier Transfer）処理を行う。
【００３６】
誤り訂正復号部１５７は、ＩＤＦＴ部１５６の出力に対して誤り訂正復号処理を行い、データ信号は他の処理部、送達結果はスケジューラ１６０に出力する。送達結果は、例えば、移動局２０で正しくデータ信号を受信できたとき肯定結果であるＡＣＫ（Acknowledgement）、移動局２０で正しくデータ信号を受信できなかったとき否定結果であるＮＡＣＫ（Negative Acknowledgement）となる。図３（Ａ）は基地局１０、同図（Ｂ）は移動局２０における再送制御のタイミング例を各々示す図である。基地局１０と移動局２０は、基地局１０が送信したデータに対してどのタイミングで送達結果を返信するかを予め決めておくことで、基地局１０は決められたタイミングで送達結果を確認でき、新規データの送信、データの再送等を行うことができる。
【００３７】
スケジューラ（又は制御部）１６０は、スケジューリングされた符号化率、変調方式等により誤り訂正符号化等が行われるように、符号化率等を制御情報として誤り訂正符号部１０１等に出力する。また、スケジューラ１６０は、スケジューリングされた復調方式、符号化率等により復調等が行われるように、復調方式等を制御情報としてデータ復調部１５５等に出力する。更に、スケジューラ１６０は、データ復調部１５５から出力された品質情報と、誤り訂正復号部１５７から出力されたＡＣＫ又はＮＡＣＫを保持する。スケジューラ１６０は、送達結果がＡＣＫのとき、新規データ信号の送信または他の移動局２０との通信を行い、送達結果がＮＡＣＫのとき、ＮＡＣＫを送信した移動局２０に対してデータ信号の再送を行うようにスケジューリングを行う。
【００３８】
図４は移動局２０の構成例を示す図である。移動局２０は、送信部２００と、Ｄ／Ａ変換部２１０と、ＲＦ処理部２２０と、アンテナ２３０と、Ａ／Ｄ変換部２４０と、受信部２５０と、制御部２６０と、ＡＣＫ／ＮＡＣＫ生成部２６１と、ＣＱＩ測定部２６２とを備える。
【００３９】
送信部２００は、誤り訂正符号部２０１と、ＤＦＴ部２０２と、データ変調部２０３と、データ・パイロット信号多重部２０４と、ＩＦＦＴ部２０５と、ＣＰ挿入部２０６とを備える。
【００４０】
誤り訂正符号部２０１は、制御部２６０からの制御情報に従って、上り方向において送信する送信データ信号と、ＣＱＩ測定部２６２から出力されたＣＱＩに対して誤り訂正符号化処理を行う。
【００４１】
ＤＦＴ部２０２は、制御部２６０からの制御情報に従って、誤り訂正符号化後のデータ信号等に対してＤＦＴ（Discrete Fourier Transfer）処理を行う。
【００４２】
データ変調部２０３は、制御部２６０からの制御情報に従って、ＤＦＴ処理後のデータ信号等と、ＡＣＫ／ＮＡＣＫ生成部２６１から出力されたＡＣＫ又はＮＡＣＫ等とに対して変調処理を行う。
【００４３】
データ・パイロット信号多重部２０４は、制御部２６０からの制御情報に従って、変調後のデータ信号等とパイロット信号とを多重化し、ＩＦＦＴ部２０５は多重化されたデータ信号等に対してＩＦＦＴ処理を行う。データ・パイロット信号多重部２０４は、例えば、制御情報（又はスケジューリング情報）に従い、ＰＵＳＣＨの無線リソースにデータ信号や、ＡＣＫ又はＮＡＣＫを割り当て、ＰＵＣＣＨ又はＰＵＳＣＨの無線リソースにＣＱＩを割り当てる。これにより、移動局２０は、ＰＵＳＣＨを利用してＡＣＫ又はＮＡＣＫをデータ信号の一部として送信し、ＰＵＳＣＨ又はＰＵＣＣＨを利用してＣＱＩを送信できる。
【００４４】
ＣＰ挿入部２０６は、制御情報に従って、ＩＦＦＴ部２０５の出力に対してＣＰを挿入する。
【００４５】
Ｄ／Ａ変換部２１０は、ＣＰ挿入部２０６の出力をアナログ信号に変換する。ＲＦ処理部２２０の送信ＲＦ部２２１は、Ｄ／Ａ変換部２１０から出力されたベースバンド信号を所定無線周波数帯域の無線信号に変換して出力する。アンテナ２３０は、基地局１０に無線信号を送信する。また、アンテナ２３０は基地局１０から送信された無線信号を受信し、ＲＦ処理部２２０の受信ＲＦ部２２２に出力する。
【００４６】
受信ＲＦ部２２２は無線信号をベースバンド信号に変換し、Ａ／Ｄ変換部２４０はアナログ信号のベースバンド信号をデジタル信号に変換する。
【００４７】
受信部２５０は、ＣＰ除去部２５１と、ＦＦＴ部２５２と、データ・パイロット信号分離部２５３と、パイロット信号復調部２５４と、データ復調部２５５と、誤り訂正復号部２５６とを備える。
【００４８】
ＣＰ除去部２５１は、Ａ／Ｄ変換部２４０の出力に対してＣＰを除去し、ＦＦＴ部２５２はＣＰ除去後のベースバンド信号に対してＦＦＴ処理を行う。
【００４９】
データ・パイロット信号分離部２５３は、ＦＦＴ部２５２の出力に対して、データ信号とパイロット信号とを分離する。データ・パイロット信号分離部２５３は、例えば、制御情報（又はスケジューリング情報）に従って、ＰＤＳＣＨにより受信したデータ信号等を抽出し、ＰＤＣＣＨにより受信した制御信号等を抽出し、これらをデータ復調部２５５に出力する。
【００５０】
パイロット信号復調部２５４は、パイロット信号に対して復調処理を行い、復調後のパイロット信号をＣＱＩ測定部２６２に出力する。
【００５１】
データ復調部２５５は、パイロット信号の復調処理結果等に基づいて、データ信号に対して復調処理を行う。また、データ復調部２５５は、ＰＤＣＣＨを利用して送信された復調後の制御信号を制御部２６０に出力する。
【００５２】
誤り訂正復号部２５６は、復調後のデータ信号に対して誤り訂正復号処理を行う。誤り訂正復号部２５６は、誤り訂正復号処理の処理結果（例えばＣＲＣ（Cyclic Redundancy Check）チェック結果など）をＡＣＫ／ＮＡＣＫ生成部２６１に出力する。
【００５３】
制御部２６０は、制御信号に含まれる上りリンク又は下りリンクに対する制御情報に基づいて誤り訂正符号部２０１等を制御する。例えば、制御部２６０は、符号化率と変調方式等を制御情報として、誤り訂正符号部２０１とデータ変調部２０３等に出力する。また、制御部２６０は、復調方式等を制御情報としてデータ復調部２５５等に出力する。制御信号に含まれる制御情報は、例えば、基地局１０のスケジューラ１６０によりスケジューリングされたものである。
【００５４】
ＡＣＫ／ＮＡＣＫ生成部２６１は、誤り訂正復号部２５６から出力された誤り訂正復号処理の結果に基づいてＡＣＫ又はＮＡＣＫを生成する。ＡＣＫ／ＮＡＣＫ生成部２６１は、例えば、誤り訂正復号処理が正しく行われたことを示すＣＲＣチェック結果を得たときＡＣＫを生成し、正しく誤り訂正復号処理が行われなかったことを示すＣＲＣチェック結果を得たときＮＡＣＫを生成する。ＡＣＫ／ＮＡＣＫ生成部２６１は、ＡＣＫ又はＮＡＣＫをデータ変調部２０３に出力する。
【００５５】
ＣＱＩ測定部２６２は、パイロット信号に基づいて下りリンク方向の無線回線品質を測定し、その品質を示す指標であるＣＱＩ（Channel Quality Indicator）を生成し、誤り訂正符号部２０１に出力する。
【００５６】
次に、ＰＵＳＣＨとＰＵＣＣＨの各物理チャネルを含む上り無線フレームの構成例を説明する。図５はかかる無線フレームの構成例を示す図である。横軸は時間軸方向、縦軸は周波数軸方向を示す。ＰＵＳＣＨは、例えば、ユーザデータ等を送信するための物理チャネルであり、基地局１０の許可により移動局２０が利用できる物理チャネルである。また、ＰＵＣＣＨは、例えば、制御信号（又は制御情報）等を送信するための物理チャネルであり、移動局２０に予め個別に割り当てられた物理チャネルである。図５に示すように、ＰＵＣＣＨとＰＵＳＣＨは互いに異なる周波数の無線リソース上に配置される。尚、ＰＵＣＣＨはシステム周波数帯域内の両端に各々配置されている。両端にＰＵＣＣＨが配置されるのは、マルチパス・フェージングによる特性劣化を軽減して、基地局１０においてＰＵＣＣＨの受信品質を向上させるためである。
【００５７】
次に動作例を説明する。図６（Ａ）及び同図（Ｂ）は送達結果を送信する場合の各シーケンス例を示す図である。
【００５８】
図６（Ａ）は、移動局２０がＰＵＳＣＨを利用して送達結果を送信する場合のシーケンス例を示す図である。基地局１０は、ＰＤＣＣＨを利用して、ＰＤＳＣＨによるユーザデータ（又はデータ信号）の送信がある旨を通知し（Ｓ１０）、ＰＤＳＣＨを利用してユーザデータを送信する（Ｓ１２）。
【００５９】
また、基地局１０がＰＵＳＣＨの送信許可をＰＤＣＣＨにより送信し、移動局２０が当該送信許可を受信した場合（Ｓ１１）、移動局２０はＰＵＳＣＨを利用して、下りユーザデータ（ＰＤＳＣＨ）に対する送達結果を送信する（Ｓ１３）。例えば、基地局１０のスケジューラ１６０が移動局２０に対するＰＵＳＣＨの送信許可を生成し、データ・パイロット信号多重部１０３に出力することで、基地局１０は当該送信許可を送信する。また、移動局２０の制御部２６０は、データ復調部２５５から当該送信許可を受け取ると、データ・パイロット信号多重部２０４を制御して、ＡＣＫ又はＮＡＣＫをＰＵＳＣＨの無線リソースに割り当てるようにする。
【００６０】
図６（Ｂ）は、移動局１０がＰＵＳＣＨの送信許可を受信できなかった場合のシーケンス例を示す図である。基地局１０はＰＵＳＣＨの送信許可を送信したが、例えば無線通信環境の変化により、移動局２０が当該送信許可を受信できない場合もある。このような場合、移動局２０はＰＵＳＣＨを利用して、下りユーザデータ（ＰＤＳＣＨ）に対する送達結果を送信することができない。
【００６１】
そこで、移動局２０は、ＰＵＳＣＨの送信許可を受信できなかったとき、ＰＵＣＣＨを利用して送達結果を送信することとする（Ｓ１４）。例えば、移動局２０の制御部２６０は、当該送信許可を確認しない場合、データ・パイロット信号多重部２０４を制御して、ＡＣＫ又はＮＡＣＫをＰＵＣＣＨの無線リソースに割り当てるようにする。
【００６２】
移動局１０は、下りユーザデータ（ＰＤＳＣＨ）に対する送達結果をＰＵＳＣＨ又はＰＵＣＣＨを利用して送信することになる。後述する各実施例においても同様である。
【００６３】
次に、基地局１０における動作について説明する。図７は基地局１０における動作例を示すフローチャートである。尚、基地局１０はデータ信号（又はユーザデータ）（ＰＤＳＣＨ）を移動局２０に送信しているものとする。
【００６４】
基地局１０は、処理を開始すると（Ｓ２０）、移動局２０に対してＰＵＳＣＨの送信許可を送信したか否かを判別する（Ｓ２１）。例えば、スケジューラ１６０がＰＵＳＣＨの送信許可を決定し、送信許可をデータ変調部１０２に出力するため、本処理（Ｓ２１）は当該決定または出力により判別できる。
【００６５】
基地局１０は、ＰＵＳＣＨの送信許可を送信した場合（Ｓ２１でＹｅｓ、図６（Ａ）のＳ１１）、ＰＵＳＣＨを利用して移動局２０から送信されたデータ信号等の受信処理を行う（Ｓ２２）。
【００６６】
次いで、基地局１０は、ＰＵＳＣＨにより送信されたデータ信号等を正しく受信できたか否かを判別する（Ｓ２３）。例えば、スケジューラ１６０は誤り訂正復号部１５７から出力されたＣＲＣチェック結果に基づいて判別する。
【００６７】
基地局１０は、ＰＵＳＣＨで送信されたデータ信号等を正しく受信できた場合（Ｓ２３でＹｅｓ）、当該データ信号とともにＰＵＳＣＨで送信されたＡＣＫ又はＮＡＣＫを確認する（Ｓ２４）。例えば、スケジューラ１６０は、誤り訂正復号部１５７から出力されたＡＣＫ又はＮＡＣＫを入力することで本処理を確認する。
【００６８】
そして、基地局１０は一連の処理を終了する（Ｓ２５）。
【００６９】
一方、基地局１０は、ＰＵＳＣＨにより送信されたデータ等を正しく受信できなかったとき（Ｓ２３でＮｏ）、ＰＵＣＣＨにより送信された信号等の受信処理を行う（Ｓ２６）。基地局１０がＰＵＳＣＨの送信許可を送信した場合でも、通信環境の変化により、移動局２０は送信許可を受信できない場合がある。移動局２０は、ＰＵＳＣＨの送信許可を受信できなかった場合、ＰＵＣＣＨを利用して送達結果を送信するため（図６（Ｂ）のＳ１４）、基地局１０はＰＵＣＣＨにより受信した信号等に対する受信処理を行う。
【００７０】
次いで、基地局１０は、当該信号等とともにＰＵＣＣＨにより送信されたＡＣＫ又はＮＡＣＫを確認する（Ｓ２７）。例えば、スケジューラ１６０はデータ復調部１５５から出力されたＡＣＫ又はＮＡＣＫを入力することで確認する。
【００７１】
また、基地局１０は、ＰＵＳＣＨの送信許可を移動局２０に対して送信していないとき（Ｓ２１でＮｏ）、ＰＵＣＣＨにより送信された信号等の受信処理を行い（Ｓ２６）、ＡＣＫ又はＮＡＣＫを確認する（Ｓ２７）。この場合、基地局１０がＰＵＳＣＨの送信許可を移動局２０に送信しておらず（Ｓ２１でＮｏ）、そのため移動局２０はＰＵＣＣＨを利用して送達結果を送信する（図６（Ｂ）のＳ１４）。基地局１０はこのＰＵＣＣＨにより受信した送達結果を受信する。
【００７２】
図７に示す例は、基地局１０はＰＵＳＣＨに対する受信処理を行い（Ｓ２２）、ＰＵＳＣＨによるデータ信号等を正しく受信できない場合に、ＰＵＣＣＨに対する受信処理を行う（Ｓ２６）。このようなＰＵＳＣＨによる受信処理後にＰＵＣＣＨによる受信処理を行う処理を以下ではシリアル処理と称することにする。基地局１０は、シリアル処理を行うことで、ＰＵＳＣＨ又はＰＵＣＣＨのいずれかを利用して送信された送達結果を受信できるため、送達結果を受信できないことによるデータ再送を行うことがなくなる。よって、無線通信システム１はスループットの向上を図ることができる。
【００７３】
基地局１０は、シリアル処理以外にも、ＰＵＳＣＨとＰＵＣＣＨに対する各受信処理を並列（又は同時）に行うこともできる。以下ではこのような処理をパラレル処理と称することにする。パラレル処理は、ＰＵＣＣＨとＰＵＳＣＨに対する各受信処理を並列に行うことができるため、シリアル処理と比較して、基地局１０が送達結果を確認するまでの時間を少なくすることができる。図８は基地局１０においてパラレル処理を行う場合の動作例を示すフローチャートである。
【００７４】
基地局１０は、処理を開始すると（Ｓ４０）、移動局２０に対してＰＵＳＣＨ送信許可を送信したか否かを判別する（Ｓ２１）。
【００７５】
基地局１０は、ＰＵＳＣＨの送信許可を送信したとき（Ｓ２１でＹｅｓ）、ＰＵＳＣＨとＰＵＣＣＨにより送信されたデータ信号等の受信処理を並列に行う（Ｓ４１）。例えば、パイロット復調部１５４、データ復調部１５５、ＩＤＦＴ部１５６、及び誤り訂正復号部１５７は異なる周波数により送信されたデータ信号等を並列に受信処理できるような処理速度でＳ４１の処理を行う。或いは、パイロット復調部１５４から誤り訂正復号部１５７までが並列に配置され、各部１５４等が並列に処理を行うようにしてもよい。
【００７６】
図９は並列に配置された場合の基地局１０の構成例を示す図である。基地局１０は、更に、第２のパイロット信号復調部１７４と、第２のデータ復調部１７５、第２のＩＤＦＴ部１７６と、第２の誤り訂正復号部１７７とを備える。例えば、パイロット信号復調部１５４、データ復調部１５５、ＩＤＦＴ部１５６、及び誤り訂正復号部１５７がＰＵＳＣＨにより送信されたデータ信号等の受信処理を行う。また、第２のパイロット信号復調部１７４、第２のデータ復調部１７５、第２のＩＤＦＴ部１７６、及び第２の誤り訂正復号部１７７がＰＤＣＣＨにより送信された制御信号等の受信処理を行う。ＰＵＳＣＨとＰＵＣＣＨによる受信は逆でもよい。
【００７７】
次いで、基地局１０はＰＵＳＣＨを正しく受信できたか否かを判別し（Ｓ２３）、正しく受信できた場合はＰＵＳＣＨにより受信したＡＣＫ又はＮＡＣＫを確認する（Ｓ２３でＹｅｓ、Ｓ２４）。
【００７８】
そして、基地局１０は一連の処理を終了する（Ｓ４３）。
【００７９】
一方、基地局１０は、ＰＵＳＣＨを正しく受信できないとき（Ｓ２３でＮｏ）、ＰＵＣＣＨにより受信した送達結果を確認する（Ｓ４２）。基地局１０は、既にＰＵＣＣＨの受信処理を行っているため（Ｓ４１）、ＰＵＳＣＨを正しく受信できなかったときはＰＵＣＣＨにより受信した送達結果を確認するだけである。そして、基地局１０は一連の処理を終了する（Ｓ４３）。
【００８０】
また、基地局１０はＰＵＳＣＨの送信許可を送信していない場合は（Ｓ２１でＮｏ）、シリアル処理と同様に、ＰＵＣＣＨの受信処理を行い、送達結果を確認する（Ｓ２６、Ｓ２７）。
【００８１】
上述したように、パラレル処理はシリアル処理と比較して基地局１０が送達結果を確認するまでの時間を少なくさせることができる。よって、基地局１０は送達結果を確認するまでの時間が少なくなる分、多くのデータ信号等を送信又は受信でき、無線通信システム１全体としてラウンドトリップタイム（Round Trip Time : RTT）を向上させることができる。
【００８２】
＜第２の実施例＞
次に第２の実施例を説明する。本第２の実施例では、ＰＵＳＣＨに対する受信処理を行うか又はＰＵＳＣＨとＰＵＣＣＨに対するパラレル受信処理を行うかを下りリンクの無線回線品質に基づいて選択するようにしている。本第２の実施例はパラレル受信処理を行わない場合もあるため、第１の実施例のパラレル処理と比較して処理量の削減を図ることができ、スループットを更に向上させることができる。
【００８３】
図１０は第２の実施例における基地局１０の構成例を示す図である。基地局１０は、更に、スケジューラ１６０内にＣＱＩ管理部１６１を備える。
【００８４】
ＣＱＩ管理部１６１は、移動局２０から送信された下りリンクの無線回線品質（例えば、ＣＱＩ）を保持し、予め保持した閾値ＣＱＩｔｈと比較する。スケジューラ１６０はこの比較結果に基づいて後述する処理を行う。尚、移動局２０はＰＵＳＣＨ又はＰＵＣＣＨを利用してＣＱＩを送信する。
【００８５】
移動局２０の構成例及び全体のシーケンス例は第１の実施例と同様で、図４、図６（Ａ）、及び同図（Ｂ）に夫々の例を示す。また、基地局１０はデータ信号（ＰＤＳＣＨ）を移動局２０に送信しているものとする。
【００８６】
図１１は基地局１０における動作例を示す図である。基地局１０は、処理を開始すると（Ｓ５０）、移動局２０に対してＰＵＳＣＨの送信許可を送信したか否かを判別する（Ｓ２１）。
【００８７】
基地局１０は、ＰＵＳＣＨの送信許可を送信したとき（Ｓ２１でＹｅｓ）、送信許可を送信した移動局２０のＣＱＩ値（ＣＱＩ＿ＵＥ）を確認する（Ｓ５１）。例えば、移動局２０のＣＱＩ測定部２６２はパイロット信号に基づいて下りリンクのＣＱＩを測定（又は推定）し、ＣＱＩ値（ＣＱＩ＿ＵＥ）として基地局１０に送信する。ＣＱＩ管理部１６１は、ＣＱＩ値（ＣＱＩ＿ＵＥ）を誤り訂正復号部１５７から入力することで確認する。
【００８８】
次いで、基地局１０は、ＣＱＩ値（ＣＱＩ＿ＵＥ）が閾値ＣＱＩｔｈ以上か否かを判別する（Ｓ５２）。例えば、ＣＱＩ管理部１６１が判別する。
【００８９】
基地局１０は、ＣＱＩ値（ＣＱＩ＿ＵＥ）が閾値ＣＱＩｔｈ以上のとき（Ｓ５２でＹｅｓ）、ＰＵＳＣＨにより送信されたデータ信号等の受信処理を行う（Ｓ５４）。下りリンクの無線回線品質が一定値以上のとき、基地局１０と移動局２０の間の下りリンクの無線回線品質は閾値ＣＱＩｔｈによる場合と比較して良好である。よって、移動局２０がＰＵＳＣＨの送信許可を受信する可能性は、閾値ＣＱＩｔｈより小さい場合と比較して高い。このような場合、基地局１０は、移動局２０がＰＵＳＣＨにより送達結果を送信することを見越して、ＰＵＳＣＨに対する受信処理を行う。
【００９０】
次いで、基地局１０は、ＰＵＳＣＨで受信したＡＣＫ又はＮＡＣＫを確認し（Ｓ５５）、一連の処理を終了する（Ｓ５６）。
【００９１】
一方、基地局１０は、ＣＱＩ値（ＣＱＩ＿ＵＥ）が閾値ＣＱＩｔｈよりも低いとき（Ｓ５２でＮｏ）、第１の実施例と同様にパラレル処理を行う。基地局１０は、下りリンクの無線回線品質が一定値より低いとき、下りリンクの無線回線品質は、閾値ＣＱＩｔｈ以上の場合と比較して良好でなく、移動局２０はＰＵＳＣＨの送信許可を受信したか否か判別することができない。このような場合、基地局１０はＰＵＳＣＨとＰＵＣＣＨとに対してパラレル受信処理（Ｓ４１）を行い、送達結果を早期に確認するようにしている。
【００９２】
基地局１０は、パラレル受信処理（Ｓ４１）を行った後、ＰＵＳＣＨにより送信されたデータ信号等を正しく受信したとき（Ｓ２３でＹｅｓ）、ＰＵＳＣＨにより受信したＡＣＫ又はＮＡＣＫを確認する（Ｓ２４）。そして、基地局１０は一連の処理を終了する（Ｓ５６）。
【００９３】
一方、基地局１０は、ＰＵＳＣＨを正しく受信できないとき（Ｓ２３でＮｏ）、移動局２０がＰＵＣＣＨを利用して送達結果を送信することを見越して、ＰＵＣＣＨにより受信したＡＣＫ又はＮＡＣＫを確認する（Ｓ４２）。そして、基地局１０は一連の処理を終了する（Ｓ５６）。
【００９４】
また、基地局１０は、移動局２０に対してＰＵＳＣＨの送信許可を送信していないとき（Ｓ２１でＮｏ）、ＰＵＣＣＨにより受信したデータ信号等の受信処理を行って（Ｓ２６）、ＡＣＫ信号又はＮＡＣＫ信号を確認する（Ｓ２７）。そして、基地局１０は一連の処理を終了する（Ｓ５６）。
【００９５】
その後、基地局１０は、ＡＣＫを確認したときは新規データの送信等を行い、ＮＡＣＫを確認したときは再度当該移動局２０にデータを再送する。
【００９６】
上述したように、本無線通信システム１では、下りリンクの無線回線品質が一定値以上のとき、ＰＵＣＣＨとＰＵＳＣＨのパラレル受信処理を行わないため（Ｓ５２でＹｅｓのときＳ５４へ）、第１の実施例のパラレル処理と比較して処理量を削減できる。すなわち、本無線基地局装置１０は、ＰＵＣＣＨとＰＵＳＣＨの双方に対する受信処理を行わない場合もあるため、双方の処理を常に行う場合と比較して、処理量を削減できる。よって、基地局１０は、処理量の削減の分だけ他の処理を行うことができる。例えば、基地局１０において、従来のパラレル処理を実施するための処理量が原因で扱えるデータ量が制限されている場合には、削減できた分だけ、多くのデータ信号等の送信又は受信を行うことができるようになるため、無線通信システム１全体としてスループットの向上を図ることができる。また、基地局１０は、処理量の削減により、パラレル処理の場合と比較してコスト及び消費電力の削減を図ることができる。更に、本第２の実施例において基地局１０は、シリアル処理と比較して送達結果を確認するまでの時間が少なくなりその分多くのデータ信号等を送信又は受信できるため、ラウンドトリップタイムを向上させることができる。
【００９７】
尚、パラレル受信処理に関し、基地局１０のパイロット信号復調部１５４、データ復調部１５５、ＩＤＦＴ部１５６、及び誤り訂正復号部１５７は、例えば、異なる周波数のＰＵＳＣＨとＰＵＣＣＨにより送信されたデータ信号等を並列に受信できるような処理速度で処理を行う。
【００９８】
または、基地局１０は、第１の実施例と同様に各部１５７等が並列に配置されることでパラレル受信処理を行うようにしてもよい。図１２はかかる場合の基地局１０の構成例を示す図である。基地局１０は、更に、第２のパイロット信号復調部１７４と、第２のデータ復調部１７５と、第２のＩＤＦＴ部１７６と、第２の誤り訂正復号部１７７とを備える。第２のパイロット信号復調部１７４から第２の誤り訂正復号部１７７はＰＵＳＣＨ又はＰＵＣＣＨのいずれか一方に対する受信処理を行い、パイロット信号復調部１５４から誤り訂正復号部１５７は他方に対する受信処理を行う。
【００９９】
＜第３の実施例＞
次に第３の実施例を説明する。図１３は第３の実施例における基地局１０の構成例を示す図である。
【０１００】
基地局１０は、更に、処理量監視部１６５を備える。
【０１０１】
処理量監視部１６５は、受信部１５０の各部（ＣＰ除去部１５１、ＦＦＴ部１５２、データ・パイロット信号分離部１５３、パイロット信号復調部１５４、データ復調部１５５、ＩＤＦＴ部１５６、及び誤り訂正復号部１５７）から各部の処理量情報を取得し、処理量（Ｐ）を演算する。処理量（Ｐ）は、例えば、プロセッサの負荷率に相当するもので、単位時間の稼働率でもある。処理量監視部１６５は、受信部１５０の各部を監視して各部における一定時間の処理量を取得し、全体の処理量（Ｐ）を計算するようにしてもよい。処理量監視部１６５は、処理量（Ｐ）をスケジューラ１６０に出力する。スケジューラ１６０は処理量（Ｐ）に基づいて後述する処理を行う。
【０１０２】
尚、移動局２０の構成例及び全体のシーケンス例は第１の実施例等と同様で、図４、図６（Ａ）、及び同図（Ｂ）に夫々例を示す。また、基地局１０はデータ信号（ＰＤＳＣＨ）を移動局２０に送信しているものとする。
【０１０３】
図１４は第３の実施例における基地局１０の動作例を示すフローチャートである。基地局１０は処理を開始すると（Ｓ６０）、ＰＵＳＣＨの送信許可を移動局２０に送信したか否かを判別する（Ｓ２１）。
【０１０４】
そして、基地局１０は当該送信許可を送信したとき（Ｓ２１でＹｅｓ）、基地局１０の処理量（Ｐ）を確認する（Ｓ６１）。例えば、処理量監視部１６５が受信部１５０の処理量（Ｐ）を計算し、スケジューラ１６０に出力することにより確認する。
【０１０５】
次いで、基地局１０は処理量（Ｐ）が閾値Ｐｔｈ以上か否かを判別する（Ｓ６２）。例えば、スケジューラ１６０は、処理量（Ｐ）が予め保持した閾値Ｐｔｈ以上か否かにより判別する。
【０１０６】
基地局１０は、処理量（Ｐ）が閾値Ｐｔｈ以上のとき（Ｓ６２でＹｅｓ）、ＰＵＳＣＨで受信したデータ信号等の受信処理を行う（Ｓ６４）。処理量（Ｐ）が閾値Ｐｔｈ以上のとき、基地局１０において受信処理の処理量が一定値よりも多く、基地局１０が収容する移動局２０の数も一定値より多いときでもある。受信処理対象の移動局２０が一定値より多いとき、ＰＵＳＣＨを利用してデータ信号等を送信する移動局２０の数は一定値より多くなる。従って、移動局２０の数が多いことでＰＵＳＣＨを利用する可能性が一定の場合より高いとき、基地局１０はＰＵＳＣＨによる受信処理を行う。
【０１０７】
次いで、基地局１０は、ＰＵＳＣＨにより受信したＡＣＫ又はＮＡＣＫを確認し（Ｓ６５）、一連の処理を終了する（Ｓ６６）。
【０１０８】
一方、基地局１０は、処理量（Ｐ）が閾値Ｐｔｈより低い値のとき（Ｓ６２でＮｏ）、第１の実施例等と同様にパラレル処理を行う。この場合、基地局１０は収容する移動局２０の数が一定値より少なく、そのため処理に余力がある。このような場合、基地局１０はパラレル受信処理（Ｓ４１）を行うようにしている。
【０１０９】
基地局１０は、パラレル受信処理（Ｓ４１）後、ＰＵＳＣＨにより送信されたデータ信号等を正しく受信できたか否かを判別する（Ｓ２３）。基地局１０は正しく受信できたとき（Ｓ２３でＹｅｓ）、ＰＵＳＣＨにより受信したＡＣＫ又はＮＡＣＫを確認し（Ｓ２４）、正しく受信できないとき（Ｓ２３でＮｏ）、ＰＵＣＣＨにより受信したＡＣＫ又はＮＡＣＫを確認する（Ｓ４２）。基地局１０は送達結果を確認後（Ｓ２４，Ｓ４２）、一連の処理を終了する（Ｓ６６）。
【０１１０】
一方、基地局１０は、ＰＵＳＣＨの送信許可を送信していないとき（Ｓ２１でＮｏ）、ＰＵＣＣＨに対する受信処理を行い（Ｓ２６）、ＡＣＫ又はＮＡＣＫを確認する（Ｓ２７）。
【０１１１】
このように、本第３の実施例では、基地局１０の処理に余力がないときＰＵＳＣＨに対する受信処理を行い（Ｓ６４）、余力がないときにＰＵＳＣＨとＰＵＣＣＨのパラレル受信処理を行う（Ｓ４１）。従って、本無線通信システム１において、基地局１０は処理に余力がないときにパラレル受信処理を行わないため、第１の実施例のパラレル処理と比較して、第２の実施例等と同様に処理量の削減、及び消費電力の削減等を図ることができる。従って、第２の実施例等と同様に本無線通信システム１はスループットを向上させることができる。更に、本第３の実施例は第２の実施例等と同様に、基地局１０は早期に送達結果を確認できるため、無線通信システム１はラウンドトリップタイムを向上させることができる。
【０１１２】
尚、パラレル受信処理（Ｓ４１）について第１の実施例と同様に、パイロット信号復調部１５４、データ復調部１５５、ＩＤＦＴ部１５６、及び誤り訂正復号部１５７は、周波数の異なるＰＵＳＣＨとＰＵＣＣＨにより送信された信号等をパラレルに受信できる処理速度で処理を行う。
【０１１３】
又は、図１５に示すように基地局１０は各部１５４等を並列に配置されてもよい。基地局１０は、第１の実施例と同様に、更に、第２のパイロット信号復調部１７４、第２のデータ復調部１７５、第２のＩＤＦＴ部１７６、及び第２の誤り訂正復号部１７７を備える。第２のパイロット信号復調部１７４から第２の誤り訂正復号部１７７は、ＰＵＳＣＨ又はＰＵＣＣＨのいずれか一方により受信したデータ信号等に対する受信処理を行う。また、パイロット信号復調部１５４から誤り訂正復号部１５７は、他方に対する受信処理を行う。
【０１１４】
＜第４の実施例＞
次に第４の実施例を説明する。図１６は第４の実施例における基地局１０の構成例、図１７は基地局１０の動作例をそれぞれ示す図である。本第４の実施例においても、図４は移動局２０の構成例を示し、図６（Ａ）及び同図（Ｂ）は全体のシーケンス例を夫々示す。図１７の動作例に関しても、基地局１０はデータ信号（ＰＤＳＣＨ）を移動局２０に送信しているものとする。
【０１１５】
図１６に示すように、基地局１０は、更にＣＱＩ管理部１６１と処理量監視部１６５とを備える。
【０１１６】
ＣＱＩ管理部１６１は、第２の実施例と同様に、移動局２０から送信された下りリンクの無線回線品質（例えば、ＣＱＩ）を保持し、予め保持した閾値ＣＱＩｔｈと比較する。スケジューラ１６０はその比較結果に基づいて処理を行う。
【０１１７】
処理量監視部１６５は、第３の実施例と同様に、受信部１５０の各部（ＣＰ除去部１５１、ＦＦＴ部１５２、データ・パイロット信号分離部１５３、パイロット信号復調部１５４、データ復調部１５５、ＩＤＦＴ部１５６、及び誤り訂正復号部１５７）から処理量情報を取得し、受信部１５０全体の処理量（Ｐ）をスケジューラ１６０に出力する。
【０１１８】
次に動作例を説明する。図１７に示すように、基地局１０は処理を開始すると（Ｓ７０）、移動局２０に対してＰＵＳＣＨの送信許可を送信したか否かを判別し（Ｓ２１）、当該送信許可を送信したとき（Ｓ２１でＹｅｓ）、処理量（Ｐ）を確認する（Ｓ６１）。
【０１１９】
次いで、基地局１０は、処理量（Ｐ）が閾値Ｐ’ｔｈ以上のとき（Ｓ７１）、処理対象の移動局２０のＣＱＩ値（ＣＱＩ＿ＵＥ）を確認する（Ｓ５１）。
【０１２０】
次いで、基地局１０は、移動局２０のＣＱＩ値（ＣＱＩ＿ＵＥ）が閾値ＣＱＩｔｈ以上のとき（Ｓ５２でＹｅｓ）、ＰＵＳＣＨにより受信したデータ信号等に対する受信処理を行う（Ｓ５４）。
【０１２１】
次いで、基地局１０は、受信処理により受信したＡＣＫ又はＮＡＣＫを確認し（Ｓ５５）、一連の処理を終了する（Ｓ７２）。
【０１２２】
一方、基地局１０は、移動局２０のＣＱＩ値（ＣＱＩ＿ＵＥ）が閾値ＣＱＩｔｈより低い値のとき（Ｓ５２でＮｏ）、パラレル受信処理（Ｓ４１）を行う。
【０１２３】
次いで、基地局１０はＰＵＳＣＨにより受信したデータ信号等を正しく受信できたか否かを判別する（Ｓ２３）。基地局１０は、正しく受信したとき（Ｓ２３でＹｅｓ）、ＰＵＳＣＨにより受信したＡＣＫ又はＮＡＣＫを確認する（Ｓ２４）。一方、基地局１０は、正しく受信できないとき（Ｓ２３でＮｏ）、ＰＵＣＣＨにより受信したＡＣＫ又はＮＡＣＫを確認する（Ｓ４２）。
【０１２４】
また、基地局１０は、移動局２０に対してＰＵＳＣＨの送信許可を送信していないとき（Ｓ２１でＮｏ）、ＰＵＣＣＨにより受信した制御信号等の受信処理を行い（Ｓ２６）、当該ＰＵＣＣＨにより受信したＡＣＫ又はＮＡＣＫを確認する（Ｓ２７）。
【０１２５】
このように、本第４の実施例において、基地局１０は処理量（Ｐ）が閾値Ｐ’ｔｈ以上のときでも、下りリンクの無線回線品質が一定値よりも低いときはパラレル受信処理を行い、当該無線回線品質が一定値以上のときＰＵＳＣＨに対する受信処理を行うようにしている。従って、本無線通信システム１は、パラレル受信処理を行わない場合もあるため（Ｓ７１でＹｅｓ、Ｓ５２でＹｅｓ）、第１の実施例のパラレル処理と比較して、処理量等を削減でき、第３の実施例等と同様にスループットを向上させることができる。更に、第３の実施例等と同様に、基地局１０は早期に送達結果を得ることができるため、無線通信システム１全体としてラウンドトリップタイムが向上する。
【０１２６】
また、基地局１０は処理量（Ｐ）が閾値Ｐ’以上のときでも無線回線品質を確認する（Ｓ５１，Ｓ５２）ことで、第３の実施例と比較して送達結果を早期に受信できる場合もあり、再送制御における伝達精度を向上させることもできる。
【０１２７】
尚、処理量（Ｐ）の閾値Ｐ’ｔｈは、第３の実施例の閾値Ｐｔｈと比較して、Ｐ＞Ｐ’ｔｈと設定されてもよい。基地局１０は、処理量（Ｐ）が閾値より多い場合でも、無線回線品質が一定値より低い場合は送達結果の早期確認等の観点からＰＵＣＣＨとのパラレル受信処理を行った方がよい場合もある。このような処理対象の移動局２０の数を第３の実施例より多くするため、閾値Ｐ’をかかる設定とすることができる。
【０１２８】
また、パラレル受信処理（Ｓ４１）についても、パイロット信号復調部１５４、データ復調部１５５、ＩＤＦＴ部１５６、及び誤り訂正復号部１５７は、例えば、異なる周波数のＰＵＳＣＨとＰＵＣＣＨによる信号等を並列に処理できる程度の処理速度により処理を行う。又は、図１８に示すように、基地局１０は、第２のパイロット信号復調部１７４、第２のデータ復調部１７５、第２のＩＤＦＴ部１７６、及び第２の誤り訂正復号部１７７を備え、異なる周波数の信号等を並列に受信するようにしてもよい。
【０１２９】
以上まとめると付記のようになる。
【０１３０】
（付記１）
移動局装置と無線通信を行う無線基地局装置において、
データを前記移動局装置へ送信する送信部と、
前記データに対する送達結果を前記移動局装置から受信する受信部と、
第１のチャネルによる送信を許可する許可通知を前記送信部が前記移動局装置に送信したとき、前記移動局装置との間の無線回線品質又は前記受信部の処理量に基づいて、前記第１のチャネルに対する受信処理を行うか、又は前記第１のチャネル及び第２のチャネルに対して並列に受信処理を行うかを決定する制御部とを備え、
前記受信部は、前記決定に従って前記受信処理を行うことで、前記第１のチャネル又は前記第２のチャネルを利用して送信された前記送達結果を受信することを特徴とする無線基地局装置。
【０１３１】
（付記２）
前記制御部は、前記無線回線品質又は前記処理量が閾値以上のとき、前記第１のチャネルに対する受信処理を行うことを決定し、前記無線回線品質又は前記処理量が閾値より小さいとき、前記第１のチャネル及び前記第２のチャネルに対して並列に受信処理を行うことを決定することを特徴とする付記１記載の無線基地局装置。
【０１３２】
（付記３）
前記制御部は、前記処理量が第１の閾値以上のときであって前記無線回線品質が第２の閾値より小さいとき、前記第１のチャネル及び前記第２のチャネルに対して並列に受信処理を行うことを決定し、前記処理量が前記第１の閾値以上のときであって前記無線回線品質が前記第２の閾値以上のとき、前記第１のチャネルに対する受信処理を行うことを決定することを特徴とする付記１記載の無線基地局装置。
【０１３３】
（付記４）
前記制御部は、前記処理量が前記第１の閾値より小さいとき、前記第１のチャネル及び前記第２のチャネルに対する受信処理を行うことを特徴とする付記３記載の無線基地局装置。
【０１３４】
（付記５）
前記受信部は、前記第１のチャネル及び前記第２のチャネルに対する受信処理を行って、前記第１のチャネルを利用して送信された信号を受信できないとき、前記第２のチャネルに対する受信処理により前記送達結果を取得し、前記第１のチャネル及び前記第２のチャネルに対して並列に受信処理を行って前記第１のチャネルを利用して送信された信号を受信できたとき、前記第１のチャネルに対する受信処理により前記送達結果を取得することを特徴とする付記１記載の無線基地局装置。
【０１３５】
（付記６）
前記制御部は、前記許可通知を前記移動局装置に送信しなかったとき、前記第２のチャネルに対する受信処理を行うことを決定することを特徴とする付記１記載の無線基地局装置。
【０１３６】
（付記７）
前記送信部はパイロット信号を前記移動局装置に送信し、
前記受信部は、前記移動局装置が前記パイロット信号に基づいて測定した前記無線回線品質を前記移動局装置から受信することを特徴とする付記１記載の無線基地局装置。
【０１３７】
（付記８）
前記第１のチャネルは前記無線基地局装置による許可により利用可能なチャネルであり、前記第２のチャネルは前記移動局装置に対して予め個別に割り当てられたチャネルであることを特徴とする付記２記載の無線基地局装置。
【０１３８】
（付記９）
前記第１のチャネルはＰＵＳＣＨ（Physical Uplink Shared Channel）であり、前記第２のチャネルはＰＵＣＣＨ（Physical Uplink Control Channel）であることを特徴とする付記８記載の無線基地局装置。
【０１３９】
（付記１０）
前記無線回線品質はＣＱＩ（Channel Quality Indicator）により示された値であることを特徴とする付記７記載の無線基地局装置。
【０１４０】
（付記１１）
前記送達結果は、前記移動局装置が前記データを正しく受信できたことを示す肯定結果、又は前記移動局装置が前記データを正しく受信できなかったことを示す否定結果であることを特徴とする付記１記載の無線基地局装置。
【０１４１】
（付記１２）
無線基地局装置と無線通信を行う移動局装置において、
前記無線基地局装置から送信されたデータを受信する受信部と、
第１のチャネルによる送信を許可する許可通知を前記無線基地局装置から受信できなかったとき、第２のチャネルを利用して前記データに対する送達結果を送信する送信部と
を備えることを特徴とする移動局装置。
【０１４２】
（付記１３）
データを移動局装置へ送信する送信部と、前記データに対する送達結果を前記移動局装置から受信する受信部と、制御部とを備え、前記移動局装置と無線通信を行う無線基地局装置における無線通信方法であって、
第１のチャネルによる送信を許可する許可通知を前記送信部が前記移動局装置に送信したとき、前記移動局装置と間の無線回線品質又は前記受信部の処理量に基づいて、前記第１のチャネルに対する受信処理を行うか、又は前記第１のチャネル及び第２のチャネルに対する受信処理を行うかを前記制御部により決定し、
前記決定に従って前記受信処理を行い、前記第１のチャネル又は前記第２のチャネルを利用して送信された前記送達結果を前記受信部により受信する
ことを特徴とする無線通信方法。
【０１４３】
（付記１４）
無線基地局装置と移動局装置との間で無線通信を行う無線通信システムにおいて、
前記無線基地局装置は、
データを前記移動局装置へ送信する送信部と、
前記データに対する送達結果を前記移動局装置から受信する受信部と、
第１のチャネルによる送信を許可する許可通知を前記送信部が前記移動局装置に送信したとき、前記移動局装置との間の無線回線品質又は前記受信部の処理量に基づいて、前記第１のチャネルに対する受信処理を行うか、又は前記第１のチャネル及び第２のチャネルに対する受信処理を行うかを決定する制御部とを備え、
前記受信部は、前記決定に従って前記受信処理を行い、前記第１のチャネル又は前記第２のチャネルを利用して送信された前記送達結果を受信し、
前記移動局装置は、
前記許可通知を受信したとき前記第１のチャネルを利用して前記送達結果を送信し、前記許可通知を受信できなかったとき前記第２のチャネルを利用して前記送達結果を送信する送信部を備えることを特徴とする無線通信システム。
【符号の説明】
【０１４４】
１：無線通信システム                  １０：無線基地局装置（基地局）
２０（２０‐１〜２０‐３）：移動局装置（移動局）
１００：送信部                        １０１：誤り訂正符号部
１０２：データ変調部                  １０３：データ・パイロット信号多重部
１０４：ＩＦＦＴ部                    １０５：ＣＰ挿入部
１２０：ＲＦ処理部                    １３０：アンテナ
１５０：受信部                        １５１：ＣＰ除去部
１５２：ＦＦＴ部                      １５３：データ・パイロット信号分離部
１５４：パイロット信号復調部          １５５：データ復調部
１５６：ＩＤＦＴ部                    １５７：誤り訂正復号部
１６０：スケジューラ                  １６１：ＣＱＩ管理部
１６５：処理量監視部                  １７４：第２のパイロット信号復調部
１７５：第２のデータ復調部            １７６：第２のＩＤＦＴ部
１７７：第２の誤り訂正復号部          ２６０：制御部
２６１：ＡＣＫ／ＮＡＣＫ生成部        ２６２：ＣＱＩ測定部
【図１】
0005593693.tif 000002
【図２】
0005593693.tif 000003
【図３】
0005593693.tif 000004
【図４】
0005593693.tif 000005
【図５】
0005593693.tif 000006
【図６】
0005593693.tif 000007
【図７】
0005593693.tif 000008
【図８】
0005593693.tif 000009
【図９】
0005593693.tif 000010
【図１０】
0005593693.tif 000011
【図１１】
0005593693.tif 000012
【図１２】
0005593693.tif 000013
【図１３】
0005593693.tif 000014
【図１４】
0005593693.tif 000015
【図１５】
0005593693.tif 000016
【図１６】
0005593693.tif 000017
【図１７】
0005593693.tif 000018
【図１８】
0005593693.tif 000019